(57)【要約】【課題】ブリスターケースを開封して容易に商品を取り出しでき、さらに開封した後も収納ケースとして再利用可能とする。【解決手段】ブリスターケースは、第１面と、第１面と略等しい形状に第１面と一体に成形された第２面とが、境界部分４で折曲されて対向し、第１面と第２面との間に形成される空間で収納部５を構成し、少なくとも収納部５の一部を透明もしくは半透明とする。ブリスターケースはさらに、第１面と第２面との境界部分４から離間した位置に切断部１７を第１面と第２面との接合部分に設け、第１面と第２面との境界部分４と対向する端部と、切断部１７との間に、第１面と第２面とを接合するよう固定する接着領域１５を設け、境界部分４と切断部１７の間で、第１面及び第２面の端縁近傍に沿って嵌合部１６を形成している。【選択図】図４
2005126103.tif 000002
【特許請求の範囲】
【請求項１】
第１面と、前記第１面と略等しい形状に前記第１面と一体に成形された第２面とが、境界部分(4)で折曲されて対向し、前記第１面と第２面との間に形成される空間で収納部(5)を構成し、少なくとも収納部(5)の一部を透明もしくは半透明とするブリスターケースであって、
前記第１面と第２面との境界部分(4)から離間した位置に切断部(17)を前記第１面と第２面との接合部分に設け、
前記第１面と第２面との境界部分(4)と対向する端部と、前記切断部(17)との間に、前記第１面と第２面とを接合するよう固定する接着領域(15)を設け、
前記境界部分(4)と前記切断部(17)の間に、前記第１面及び第２面を閉塞状態に保持するための嵌合部(16)を形成してなることを特徴とするブリスターケース。
【請求項２】
請求項１に記載のブリスターケースであって、
前記嵌合部(16)が前記境界部分(4)に交差する方向に沿って、前記第１面及び第２面の端縁近傍に設けられてなることを特徴とするブリスターケース。
【請求項３】
請求項２に記載のブリスターケースであって、
前記嵌合部(16)が断面を矩形状とする凸条に、前記第１面と第２面にそれぞれ一体形成され、前記第１面及び第２面の境界部分(4)に沿って、かつ境界部分(4)の両端縁近傍で略直交して前記切断部(17)近傍まで連続して延長されてなることを特徴とするブリスターケース。
【請求項４】
請求項１から３のいずれかに記載のブリスターケースであって、
切断部(17)が第１面と第２面が略接触した面に設けられていることを特徴とするブリスターケース。
【発明の詳細な説明】
【技術分野】
【０００１】
本発明は、商品を梱包して展示、販売などに使用されるブリスターケースに関する。
【背景技術】
【０００２】
商品の梱包と陳列にブリスターケースが使用されている。ブリスターケースは一般に、台紙上に配置された商品が外部から見えるように、透明な硬質プラスチックなどで商品を覆うように収納部を構成したパッケージである。ブリスターケースに収納された商品をフックなど吊り下げて陳列し、ブリスターケースごと商品が販売される。このようなブリスターケースの一例として、図１に特許文献１に係るブリスターケース１Ａを示す。このブリスターケース１Ａは、表部２と裏部３とが一体的に形成され、表部２と裏部３との境界部分４Ａで折り曲げて表部２と裏部３と合わせることにより、内部に収納部５Ａが形成される。
【０００３】
このブリスターケース１Ａは、境界部分４Ａを除く周囲を溶着して表部と裏部を固定する。この構成は、ブリスターケース１Ａを強固に構成できる反面、購入した商品をブリスターケース１Ａから取り出す際にブリスターケース１Ａを容易に破断できないという問題がある。この問題を解決するために、図２に示すようにブリスターケース１Ｂにミシン目６を設け、ミシン目６に沿ってケースを破断して収納部５Ｂを開放する構造が開発されている（特許文献２）。このブリスターケースは、ブリスターケースをミシン目６で破断して購入された商品を取り出した後も、商品を出し入れ自在な収納ケース７としてブリスターケースを使用できる。
【０００４】
しかしながら、この構成では図３に示すようにブリスターケースの上方を破断して取り除いた収納ケース７となるため、上面の開口部８が開口されたままで閉塞することができない。このため、収納ケース７を斜めや逆さにした場合に収納された物が抜け落ちてしまう。また常に開口している構造のため、埃やゴミなど異物の侵入を阻止することもできない。さらに、開口部８でのショックをブリスターケースで吸収することができず、開口部８の上方から異物が落下した場合に内部の収納物が破損する。あるいはブリスターケース自体を落下させた場合に収納物がショックで開口部８から飛び出し、破損するといった問題があった。
【０００５】
加えて、上記の構成ではブリスターケースの上部のみを開口する構成であるため、商品の取り出しは上方からしか行うことができないという問題もあった。図３に示すように上方の開口部８は面積が大きくないため、商品の形状や配置によっては取り出し難いことがある。構造的には、上面よりも両側面を開放する方が取り出しが容易であるが、図３の構成ではブリスターケースを再利用するためには側面を開放できないという問題があった。
【特許文献１】特開２００３−２５２３７０号公報
【特許文献２】実開平６−４９３８６号公報
【発明の開示】
【発明が解決しようとする課題】
【０００６】
本発明は、このような問題点を解決するためになされたものである。本発明の主な目的は、ブリスターケースを開封して商品を取り出す作業が容易で、さらに開封した後も収納ケースとして十分に再利用可能なブリスターケースを提供することにある。
【課題を解決するための手段】
【０００７】
上記の目的を達成するために、本発明のブリスターケースは、第１面と、前記第１面と略等しい形状に前記第１面と一体に成形された第２面とが、境界部分４で折曲されて対向し、前記第１面と第２面との間に形成される空間で収納部５を構成し、少なくとも収納部５の一部を透明もしくは半透明とする。このブリスターケースはさらに、前記第１面と第２面との境界部分４から離間した位置に切断部１７を前記第１面と第２面との接合部分に設け、前記第１面と第２面との境界部分４と対向する端部と、前記切断部１７との間に、前記第１面と第２面とを接合するよう固定する接着領域１５を設け、前記境界部分４と前記切断部１７の間で、前記第１面及び第２面の端縁近傍に沿って嵌合部１６を形成している。
【０００８】
この構成によって、破断部で破断して開封したブリスターケースは、第１面と第２面を境界部分４で左右に分離して大きく開放でき、内部に収納された収納物の取り出しが容易である。さらに、破断後であっても第１面と第２面とを嵌合部１６で嵌合できるので、ブリスターケースで収納物の周囲を覆って収納ケースとして再利用できる。
【０００９】
またブリスターケースは、前記嵌合部１６が前記境界部分４に交差する方向に沿って、前記第１面及び第２面の端縁近傍に設ける。これによって、境界部分４と交差する方向で第１面と第２面を嵌合部１６で勘合し、確実に保持できる。
【００１０】
さらにブリスターケースは、前記嵌合部１６が断面を矩形状とする凸条に、前記第１面と第２面にそれぞれ一体形成され、前記第１面及び第２面の境界部分４に沿って、かつ境界部分４の両端縁近傍で略直交して前記切断部１７近傍まで連続して延長されている。これによって、嵌合部１６を安価にかつ容易に構成でき、第１面と第２面を連続して囲むようにして嵌合して確実に保持できる。
【００１１】
さらにまたブリスターケースは、切断部１７を第１面と第２面が略接触した面に設けることができる。この構成によって、切断部１７で第１面と第２面が離間しないので、第１面と第２面とを重ねた状態で同時にスムーズに切断できる。
【発明の効果】
【００１２】
本発明においては、切断部にて分離したとき、接着領域を含む部分より、切り離された収納部側を収納ケースと呼ぶとする。本発明のブリスターケースによれば、開封作業が容易で、しかも開封後にブリスターケースを収納ケースとして再利用できるという優れた特長が実現される。それは本発明のブリスターケースが、切断部に対して、接着領域を収納ケースの範囲外に、嵌合部を収納ケースの範囲内に位置させているからである。この構成によって、開封前は接着領域で確実に第１面と第２面を固定状態としてブリスターケースの収納部に収納される収納物を確実に保護できる。一方、ブリスターケースの開封後は、接着領域が収納ケースから排除されるのでブリスターケースの固定状態が解除され、また収納ケースに含まれる嵌合部によってケースの開放、閉塞が自在となる。これによって、ブリスターケースの開封後も収納物を周囲から保護できる収納ケースとして再利用でき、ブリスターケースを破棄することなく資源の再利用、有効利用が図られ、環境保護や資源のリサイクルに寄与する。また上記の構成は安価に実現でき、低コストで既存のブリスターケースの有効利用を図ることができる。
【発明を実施するための最良の形態】
【００１３】
以下、本発明の実施の形態を図面に基づいて説明する。ただし、以下に示す実施の形態は、本発明の技術思想を具体化するためのブリスターケースを例示するものであって、本発明はブリスターケースを以下のものに特定しない。
【００１４】
また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１５】
図４〜図９に、本発明の一実施の形態に係るブリスターケースを示す。これらの図では、二次電池の充電器９、ＡＣアダプタ１０および二次電池１１、１１を収納するブリスターケース１を示している。図４はブリスターケース１の正面図、図５は背面図、図６は図４において右側面図、図７は左側面図、図８は底面図、図９は上面図を、それぞれ示している。これらの図に示すブリスターケース１は、第１面、第２面を構成する表面１２と裏面１３が一体に成形されており、図４において底辺にあたる境界部分４で折曲されて、略正面視矩形である。図１０に示すように表面１２と裏面１３との間で収納部５を構成している。収納部５は、図４〜図９に示すように表面１２と裏面１３をそれぞれ所定の形状に凹凸を設け、これら凹凸が表面１２と裏面１３で組み合わされて、収納物を所定の配置状態に収納する収納スペースが構成される。したがって、表面１２と裏面１３は外形をほぼ同じ大きさとし、各凹凸部分がそれぞれ対応して所定の収納部５を構成するように、凹凸の形成位置も予め位置決めされる。図４〜図９に示すように、収納物である二次電池の充電器９、ＡＣアダプタ１０、二次電池１１、１１を収納するブリスターケース１がバランス良く配置されるよう、それぞれの収納スペース５ａ、５ｂ、５ｃが形成される。なお収納物は、各収納物の配置位置をくり抜いた台紙１４に配置された状態で、図１０に示すように境界部分４を折曲線として表面１２と裏面１３を折曲して挟持される。なお本明細書では第１の面と第２の面を、表面１２と裏面１３として説明するが、これらを入れ替えても良いことはいうまでもない。
【００１６】
［ブリスターケース１］
ブリスターケース１は、透明な硬質プラスチックで構成される。例えば透明性の優れたＰＶＣ（塩化ビニル樹脂）や、Ａ−ＰＥＴ（ポリエチレンテレフタレート）、ＰＰ（ポリプロピレン）、ＰＳ（ポリスチレン）、低密度ポリエチレン樹脂や非晶性線状ポリエステル樹脂等が使用される。また台紙１４は紙製であり、その表面１２や裏面１３に、商品名や仕様、仕様説明などの情報が印刷される。
【００１７】
ブリスターケース１は、図１０に示すように収納物を挟持する状態で、表面１２と裏面１３とが接着領域１５で接着される。接着領域１５は境界部分４から離間した位置とし、好ましくは対向してほぼ平行する位置に設ける。図４および図５の例では、上方の縁端近傍を帯状に接着領域１５とする。これによってブリスターケース１は上端付近を接着領域１５で固定し、さらに下端は一体成形で連続した境界部分４であるため、上下端が固定されてブリスターケース１の意図しない開放が阻止される。さらに、両側面を嵌合部１６で勘合することによって、左右側面でも表面１２と裏面１３が保持されてブリスターケース１が確実に閉塞状態に保持される。
【００１８】
［接着領域１５］
また接着領域１５は、切断部１７よりも上面に位置するように配置される。言い換えると、ブリスターケース１の全周を接着しない。これによって、ブリスターケース１開封後にブリスターケース１が収納ケースを構成する際、収納ケースから接着領域１５を排除し、収納ケースを開放自在とできる一方、ブリスターケース１の開封前は、接着領域１５によって確実にブリスターケース１を閉塞できる。図４および図５の例では、表面１２と裏面１３の上辺を緩やかな曲線とし、この曲線に沿って端縁付近に接着領域１５を設けている。接着領域１５では、熱融着等の溶着で表面１２と裏面１３とが固定される。なお本明細書において接着には、温度や高周波、超音波による溶着の他、接着材を使った接着も含む。
【００１９】
また接着領域１５の下方には、接着領域１５に沿うように接着領域嵌合部１８が形成される。接着領域嵌合部１８は表面１２と裏面１３が正確に重なった状態で保持されるよう位置決めの役割を果たし、表面１２と裏面１３に略同一形状の曲面や凸条が形成される（図６参照）。
【００２０】
［嵌合部１６］
嵌合部１６は、好ましくは表面１２と裏面１３の左右に設けられる。図４および図５の例では、左右に加えて下方にも嵌合部１６を設けている。嵌合部１６はさらに上部で切断部１７より下方に設けても良く、またスポット的に表面１２と裏面１３とが接触する任意の位置に設けることもできる。図４および図５の嵌合部１６は、切断部１７を除く左右と下辺で連続するコ字状に配置される。この嵌合部１６は断面を矩形状とし、表面１２と裏面１３に同一方向に突出する凸条を形成している。凸条は表面１２と裏面１３のシートにプレス成形で形成される。この構成は、プレス成形で嵌合部１６を形成できるので極めて安価に実現できる。図４の例では、紙面の手前側に突出する方向に表面１２の凸条を形成しており、裏面１３の対応する位置に表面１２の凸条とほぼ同じか若干小さい裏面１３の凸条を形成している。これによって、表面１２の凸条に裏面１３の凸条を嵌合して、凸条が相互に弾性的に押圧して嵌合部１６が安定に保持される。
【００２１】
嵌合部１６は、表面１２と裏面１３とを分離し、また接合した保持状態とできる構成が適宜利用できる。例えば、嵌合部１６を設ける領域を上辺を除くコ字状とする構成の他、図１１に示すように表面１２と裏面１３の左右部分にのみバー状の嵌合部１６Ａを設け、下辺に設けない配置としても良い。下辺は本来表面１２と裏面１３が境界部分４で連続しているため、左右のバー状嵌合部１６Ａのみでも十分な嵌合が得られる。
【００２２】
同様に嵌合部の断面形状を矩形状として連続した溝状とする構成の他、図１２に示すように複数のブロック１６Ｂに分割しても良い。この構成は、接触面積を大きくして嵌着の強度を高めることができる。
【００２３】
また図１３に示すように、略円柱状の打ち出し１６Ｃを複数形成して、各打ち出し１６Ｃをそれぞれ嵌合することで嵌合部を構成することもできる。この場合、円柱状の打ち出し１６Ｃは、円の断面積が突出部で大きくなるように形成することで、ロック効果が得られる。打ち出し１６Ｃの形状は円柱状に限られず、三角柱状、四角柱状、多角柱状などとすることもできる。さらに図示しないが、切断部の下方で切断部に沿って嵌合部を形成することもできる。切断部の位置に嵌合部を設けることで、上辺の嵌合で保持がより確実となる。ただ、上辺に嵌合部を位置させると、台紙が障害となって表面と裏面の嵌合ができなくなるので、予め嵌合部を挿入する挿入孔を台紙に形成する。特に円柱状の打ち出しを嵌合部とすれば、台紙に形成される挿入孔が小さくできる。
【００２４】
さらには、図１４に示すように特別な溝状や打ち出しを形成することなく、収納部５を構成するブリスターケース１の凸部の垂直面に突起１９を設け、これを表面１２と裏面１３で勘合する構成によっても嵌合部が実現できる。この構成は、嵌合構造を設けるスペースを別途設ける必要がないので、ブリスターケースのスペースを率効よく利用できるメリットがある。
【００２５】
以上の嵌合部１６はいずれもブリスターケース１のプレス形成により形成できるので、極めて安価に実現できる。ただ嵌合部はこの構成に限られず、例えば面ファスナやホックなど、係止状態を維持できる他の構造も適宜採用できる。
【００２６】
［切断部１７］
切断部１７は、接着領域１５よりも下方で、かつ嵌合部１６よりも上方に設けられる。接着領域１５よりも下方に設けることで、切断部１７でブリスターケース１を横断するように切断してブリスターケース１から接着部分を分離するのみでブリスターケース１を開封できる。特に従来のブリスターケースでは周囲をすべて溶着あるいは固定している構成であったため、ブリスターケース自体の強度が高いことと相俟って開封が困難であるという問題を生じていた。これに対し、一部分のみ、例えば一辺のみを接着する本実施の形態の構成では、接着領域１５のみをブリスターケース１から分離することでブリスターケース１の表面１２と裏面１３を容易に、しかも完全に開放して、収納物を容易に取り出すことができる。
【００２７】
また嵌合部１６よりも上方で切断することにより、接着領域１５を分離したブリスターケース１の残りの部分で構成される収納ケースに嵌合部１６を残し、嵌合部１６でもって収納ケースの閉塞状態を保持することができる。嵌合部１６を利用すれば一旦開封したブリスターケース１を再度閉塞でき、しかも簡単に開放できるので、収納物の出し入れが容易な収納ケースとして好適に利用できる。このように、本実施の形態は、切断部１７と嵌合部１６、接着領域１５の位置関係を特定することにより、ブリスターケース１の開封を容易に行え、さらに開封後は嵌合部１６で収納ケースの開閉を自在として、ブリスターケース１の再利用を実現できる。
【００２８】
切断部１７は、表面１２と裏面１３の接合部分、好ましくはこれらが接した位置に設ける。これによって表面１２と裏面１３を重ねて、切断部１７で同時に切断できる。切断位置が収納部等の凹凸にかかっていたりして離間していると切断すべき距離が長くなる。切断位置を重ねることで、鋏などで一気に切断でき、短時間で容易に分離することができる。
【００２９】
切断部１７は、切断線に沿ってブリスターケース１を構成するプラスチックを鋏や手などで容易に破断できるようにするものであり、例えばミシン目などの破断線とする。あるいは切断線の部分でブリスターケース１の肉厚を薄くしたり微細な傷を施した弱化線として破断を容易としたり、折損して切断する方式や切り込み、切り取り線、あるいは切断線に沿ってテープや糸等の紐状体を固定して、紐状体を引くことでブリスターケース１の引き裂きながら切断する構成など、ブリスターケース１を破断できるすべての構成が適宜利用できる。図４および図５の例では、表面１２と裏面１３の同じ位置にミシン目を入れている。また、台紙１４にも対応する位置にミシン目１７Ｂを設けておき、ブリスターケース１と共に台紙１４も容易に分離できるようにする。
【００３０】
さらにブリスターケース１は、切断部１７を形成する第１面及び第２面の端部に、切り欠き２０を形成してもよい。これによって、手などで切断する際に切断部１７に最初の切り込みを容易に行うことができる。また、切断部１７は破断線等とすることなく、この部分を、別途、用意されるハサミ等で切断してもよい。
【００３１】
［貫通穴２１］
さらに、切断部１７と接着領域１５の間に、ブリスターケース１を吊り下げるための貫通穴２１を形成する。貫通穴２１に吊り下げ式の陳列ケースのフックを通して、ブリスターケース１を吊り下げて陳列する。これによって、表面１２と裏面１３を貫通する貫通穴２１の上面が接着領域１５によって接着されるため、貫通穴２１の近辺が強固に固定される。このため、例えば裏面１３側から挿入したフックが貫通穴２１の途中で表面１２に引っかかって、フックを押し込もうとする力で裏面１３と表面１２が剥離されそうになっても、貫通穴２１の近傍に設けられた接着領域１５で強固に固定されているため、意図せぬ表面１２と裏面１３の分離が防止される。このように、貫通穴２１の部分でブリスターケース１を破損することなく、貫通穴２１にフックなどを挿入しブリスターケース１を吊り下げて商品の陳列等が容易に行える。
【００３２】
以上のようにして、ブリスターケースは販売時の展示や陳列に適し、かつ開封後にも収納物を出し入れ自在な収納ケースとして使用できるので、不燃ゴミを低減して環境に配慮し、省資源化にも寄与する。しかも破断部や嵌合部１６の構成は安価に実現できるので、コスト上昇を抑えてブリスターケースの有用性を高めることができる。
【産業上の利用可能性】
【００３３】
本発明のブリスターケースは、携帯電気機器やパック電池等の商品を収納して陳列するパッケージとして好適に適用できる。
【図面の簡単な説明】
【００３４】
【図１】従来のブリスターケースを示す斜視図である。
【図２】従来の他のブリスターケースを示す斜視図である。
【図３】図２のブリスターケースをミシン目で破断した状態を示す斜視図である。
【図４】本発明の一実施の形態に係るブリスターケースを示す正面図である。
【図５】図４に示すブリスターケースの背面図である。
【図６】図４に示すブリスターケースの右側面図である。
【図７】図４に示すブリスターケースの左側面図である。
【図８】図４に示すブリスターケースの底面図である。
【図９】図４に示すブリスターケースの上面図である。
【図１０】ブリスターケースを構成する表面と裏面の間に形成される収納部を開いた状態を示す斜視図である。
【図１１】本発明の他の実施の形態に係るブリスターケースを示す正面図である。
【図１２】本発明のさらに他の実施の形態に係るブリスターケースを示す正面図である。
【図１３】本発明のさらに他の実施の形態に係るブリスターケースを示す正面図である。
【図１４】本発明のさらに他の実施の形態に係るブリスターケースを示す正面図である。
【符号の説明】
【００３５】
１、１Ａ、１Ｂ…ブリスターケース
２…表部
３…裏部
４、４Ａ…境界部分
５、５Ａ、５Ｂ…収納部
５ａ、５ｂ、５ｃ…収納スペース
６…ミシン目
７…収納ケース
８…開口部
９…充電器
１０…ＡＣアダプタ
１１…二次電池
１２…表面
１３…裏面
１４…台紙
１５…接着領域
１６…嵌合部
１６Ａ…バー状嵌合部
１６Ｂ…ブロック
１６Ｃ…打ち出し
１７…切断部
１７Ｂ…ミシン目
１８…接着領域嵌合部
１９…突起
２０…切り欠き
２１…貫通穴
【図１】
2005126103.tif 000003
【図２】
2005126103.tif 000004
【図３】
2005126103.tif 000005
【図４】
2005126103.tif 000006
【図５】
2005126103.tif 000007
【図６】
2005126103.tif 000008
【図７】
2005126103.tif 000009
【図８】
2005126103.tif 000010
【図９】
2005126103.tif 000011
【図１０】
2005126103.tif 000012
【図１１】
2005126103.tif 000013
【図１２】
2005126103.tif 000014
【図１３】
2005126103.tif 000015
【図１４】
2005126103.tif 000016